(57)【要約】  【課題】  一般家庭でも容易に、かつ安全に、布団等の被処理物に生息する衛生害虫を十分に駆除することのできる装置を提供する  【解決手段】  本発明の衛生害虫等駆除用袋は、透明な外袋と濃色の内袋の間に空気層を形成したものである。内袋の中に布団等の被処理物を収容し、太陽光の下に置いて使用する。太陽光は透明な外袋を透過し、内袋を照射する。濃色の内袋は太陽光を十分に吸収し、温度が上昇する。内袋と外袋の間の空気層が内袋からの熱の放散を最小限に抑えるとともに、空気層自体の温度も上昇する。これと内袋の温度上昇との相乗効果により、全体の温度が上昇し、内袋内部の全域において50℃以上となる。これを3時間程度以上太陽光の下に放置しておくことにより、ダニ等の衛生害虫をほぼ完全に死滅させることができる。【選択図】  図２
2005255209.tif 000002
【特許請求の範囲】
【請求項１】
透明な外袋と、濃色の内袋と、内袋と外袋の間に形成された空気層とから成ることを特徴とする衛生害虫等駆除用袋。
【請求項２】
上記空気層が、外袋と内袋の間に設けられたスペーサーにより形成されていることを特徴とする請求項１に記載の衛生害虫等駆除用袋。
【請求項３】
空気層が、外袋と内袋の間に設けられた複数の気密室により形成されていることを特徴とする請求項１に記載の衛生害虫等駆除用袋。
【請求項４】
内袋と外袋とが一部領域で固定されていることを特徴とする請求項１〜３のいずれかに記載の衛生害虫等駆除用袋。
【発明の詳細な説明】
【技術分野】
【０００１】
本発明は、布団やぬいぐるみ、絨毯等に生息するダニ等の衛生害虫を駆除するのに使用する、衛生害虫等駆除用袋に関する。
【背景技術】
【０００２】
近年、喘息等のアレルギー疾患をもつ人が増えてきている。アレルギーを引き起こす原因物質（アレルゲン）の一つとして、布団やぬいぐるみ、絨毯等に生息するダニ等の衛生害虫が挙げられる。
【０００３】
これらの衛生害虫を駆除する方法として、従来、天日干しや、薬剤の散布、高温加熱処理等が用いられていた。
【０００４】
一般に、ダニ等を十分に死滅させるには、50℃以上の温度で60分程度以上加熱することが必要であると言われている。
【０００５】
しかし、天日干しでは、太陽光に照射される面ではそのような温度の上昇が見られるものの、日陰側では十分に温度が上がらない。このため、ダニ等は表面から裏面の方に逃げてしまい、十分な衛生害虫駆除効果が得られない。
薬剤の散布では、駆除対象の衛生害虫に合わせて使用薬剤を選択することによりほぼ完全な駆除を行うことができる。しかし、薬剤が残留すると人体に別の害を与えるおそれがあるため、十分な後処理（薬剤除去処理）が行えない一般家庭では、この方法を使用することはできない。
高温加熱処理は、通常、100℃程度という高温で加熱処理を行うものであるため、衛生害虫はほぼ完全に死滅する。しかし、布団のように大きなものに対して高温加熱処理を行うことは一般家庭では困難である。
【０００６】
布団等の被処理物をそのまま天日干しする方法は上記のように害虫駆除効果が不十分であることから、黒色のビニール袋に収容して太陽に当てるという方法が提案されている（特許文献１）。これにより、袋内全体の温度が上がり、日陰側でも或る程度の温度上昇効果が得られる。しかし、この方法でも日陰側の温度上昇は未だ不十分であり、被処理物全体を50℃以上にすることは困難である。
【０００７】
【特許文献１】実用新案登録第３０６８９１２号公報
【発明の開示】
【発明が解決しようとする課題】
【０００８】
本発明が解決しようとする課題は、一般家庭でも容易に、かつ安全に、布団等の被処理物に生息する衛生害虫を十分に駆除することのできる装置を提供することである。
【課題を解決するための手段】
【０００９】
上記課題を解決するために成された本発明に係る衛生害虫等駆除用袋は、透明な外袋と、濃色の内袋と、内袋と外袋の間に形成された空気層とから成ることを特徴とする。
【００１０】
本発明に係る衛生害虫等駆除用袋１の概略構成を図１に示す。内袋２の中に布団等の被処理物５を収容して、太陽光の下に置いて使用する。外袋３が透明であるため、太陽光は外袋３を透過し、内袋２を照射する。内袋２は濃色であるため、外袋３を透過した太陽光を十分に吸収し、温度が上昇する。上記特許文献１に記載された袋は一重であるため、太陽光を吸収することにより得た熱が外気に奪われ、十分な温度上昇効果が得られない。しかし、本発明に係る衛生害虫等駆除用袋１では、内袋２と外袋３の間に空気層４が形成されているため、この空気層４が内袋２からの熱の放散を最小限に抑えるとともに、空気層４自体の温度が上昇し、内袋２の温度上昇との相乗効果により全体の温度を上昇させる。これにより、内袋２内部の全域において50℃以上となり、3時間程度以上太陽光の下に放置しておくことにより、ダニ等の衛生害虫をほぼ完全に死滅させることができる。なお、内袋２内部の温度を50℃以上にするのに要する時間は、日射量や気温等に応じて変化するため、太陽光の下に放置する時間もそれに合わせて変化させる。
【００１１】
本発明に係る衛生害虫等駆除用袋は上記原理を使用するものであるため、外袋３は完全に透明でなくてもよく、十分な太陽光が透過できるものであれば、やや不透明なものであっても構わない。また、内袋２は、黒色であることが望ましいが、十分な太陽熱を吸収する濃色であれば、本発明の効果は得られる。しかも、濃色であるのは表面だけでよく、内側は別の素材により別の色となっていてもよい。
【００１２】
外袋３は、内袋２との間の空気層４を保持する役割を持つものであり、内袋２或いは空気層４の熱を大きく逃がすことがなければよいものである。従って、空気を完全に遮断するような素材である必要はなく、多少の空気を透過するものや、小さな孔が空いたものであってもよい。内袋２についても同様である。むしろ、内部の布団等から発生する水蒸気を外部に散逸させるために、そのように小孔が空いたものや透湿性素材（例えば、超極細繊維織物等）を使用することが望ましい。
【００１３】
空気層４は、具体的には、外袋３と内袋２の間にスペーサーを設けることにより形成することができる。スペーサーとしては、例えば、比較的硬いプラスチック製のテープを縦に配置したものを用いることができる。また、内袋の外側に適宜間隔で突起を配置してもよい。
【００１４】
外袋３と内袋２の間に複数の気密室を設けることにより空気層を形成してもよい。このような気密室としては、例えば、一般に梱包用緩衝材として用いられるエアキャップシート（いわゆるプチプチシート）を用いることができる。この場合、太陽光をより多く透過させるために、エアキャップの大きなものを用いることが望ましい。
【００１５】
内袋２と外袋３は、一部領域で固定しておくことが望ましい。こうすることにより、外袋３を引っ張ったり押さえることで内袋２も同様に押さえが効くようになるため、被処理物５を内袋の中に入れたり、中から取り出したりすることが容易となる。なお、衛生害虫等駆除用袋１の大きさは、目的とする被処理物５に応じたものとする。
【発明の効果】
【００１６】
本発明に係る衛生害虫等駆除用袋は、太陽熱で内袋２を加熱し、その熱を外袋３との間の空気層４により散逸させることなく確実に保持するため、内袋２の内部では50℃以上の高温とすることができる。従って、内部に布団等の被処理物５を入れ、十分な時間だけ太陽光の下に放置することにより、ダニ等の衛生害虫をほぼ完全に死滅させることができる。また、殺菌効果も有する。
【発明を実施するための最良の形態】
【００１７】
図２は、本発明に係る衛生害虫等駆除用袋の一実施例の縦断面図である。本実施例の衛生害虫等駆除用袋１１は、透明のポリエチレンシートから成る外袋１３の中に黒色のポリエチレンシートから成る内袋１２が収容された入れ子構造を有する。外袋１３と内袋１２の間には、一般に荷造りに使用される幅約20mm、厚さ約0.5mmの梱包バンド（ＰＰバンドとも呼ばれる）１６をジグザグに折ったものを介挿する。これにより、外袋１３と内袋１２の間に厚さ約20mmの空気層１４が確保される。
【００１８】
このように構成した衛生害虫等駆除用袋１１の内袋１２の中に被処理物１５を入れ、外袋１３と内袋１２の口を閉める。両袋１３、１２の口は一緒に閉めてもよいし、一旦内袋１２を閉め、その後外袋１３の口を閉めるようにしてもよい。また、それぞれの袋１３、１２には専用のファスナーを設けてもよいし、単に紐や粘着テープで縛るようにしてもよい。
袋の口を閉めた後、袋１１を太陽光の下に置く。
【００１９】
本実施例の袋の衛生害虫駆除効果を確認するための実験を次のように行った。内袋１２の中に布団１５を入れ、布団１５の両側の面にそれぞれ熱電対の先端を固定した。両熱電対のリード線を外に引き出した後、袋１３、１２の口を閉めた。平成15年10月18日午前11時、快晴、外気温22℃の条件下で、本実施例の衛生害虫等駆除用袋１１を太陽光の下に置き、時間経過による内袋１２内部の温度変化を測定した。すると、２時間の照射により、太陽光照射面側の布団表面が60℃以上、裏側の面でも58℃となった。すなわち、内袋１２の内部ではほぼ全域で50℃以上となっていることが確認された。
【００２０】
実際の布団においてダニ等が完全に死滅しているか否かを確認することは容易ではないため、次のような確認実験を行った。約200匹のケナガコナダニをシャーレに入れ、乾燥機内に入れた。そして、温度調節器により乾燥機内の温度を50℃に設定し、20分間その温度で保持した。その後シャーレを取り出し、確認したところ、すべてのダニが死滅していた。
【００２１】
このため、本実施例の衛生害虫等駆除用袋１１を上記のように太陽光の下に約２時間以上放置することにより、内袋１２内に収容した被処理物に生息するダニ等の衛生害虫はほぼ完全に死滅するものと推測される。
【００２２】
なお、本発明の衛生害虫等駆除用袋に被処理物を収容し、太陽光の下に放置することにより衛生害虫は死滅するが、被処理物に残留する衛生害虫が放出した化学物質や、衛生害虫の死骸がアレルゲンとなる場合がある。このため、上記方法で衛生害虫の駆除を行った後は、衛生害虫の死骸を掃除機で吸引する等により、十分除去するのが望ましい。
【００２３】
また、ダニ等の衛生害虫は一般に梅雨時期に増殖し、また、冬も部屋を暖かくすることによって増殖する。このため、衛生害虫が増殖する前（例えば５月又は６月、及び９月又は１０月）に１回以上、本発明の衛生害虫等駆除用袋を用いて衛生害虫の駆除を行うと、効果的に衛生害虫の駆除を行うことができる。もちろん高い頻度で使用すれば、より高い衛生害虫駆除効果を得ることができる。
【図面の簡単な説明】
【００２４】
【図１】本発明の作用原理を説明するための、衛生害虫等駆除用袋の断面図。
【図２】本発明の一実施例である衛生害虫等駆除用袋の縦断面図。
【符号の説明】
【００２５】
１１…衛生害虫等駆除用袋
１２…内袋
１３…外袋
１４…空気層
１５…被処理物（布団）
１６…スペーサー
【図１】
2005255209.tif 000003
【図２】
2005255209.tif 000004